(57)【要約】【課題】ＨＤＭＩ規格用ケーブルの如きデジタル映像データ伝送用のケーブルで映像機器間を接続した場合に、表示映像の選択などの高度な処理が行えるようにする。【解決手段】映像コンテンツを出力するソース機器と、映像コンテンツを入力するシンク機器との間で、制御用伝送路と映像用伝送路で接続して、制御用伝送路及び映像用伝送路でデータを伝送する場合に適用されるものである。シンク機器からは、ソース機器への要求に応じて、ソース機器が出力可能な映像コンテンツのコンテンツリストを、制御用伝送路を介してシンク機器に伝送する。このとき同時に、コンテンツリストの各コンテンツのインデックス用映像データを、映像データのブランキング期間に映像用伝送路を介してシンク機器に伝送する。このように伝送されたコンテンツリスト及びインデックス映像をシンク機器で表示して、ソース機器から伝送させる映像コンテンツを選択できるようにした。【選択図】図１０
2007311927.tif 000002
【特許請求の範囲】
【請求項１】
映像コンテンツを出力するソース機器と、映像コンテンツを入力するシンク機器との間で、制御用伝送路と映像用伝送路で接続して、前記制御用伝送路及び映像用伝送路でデータを伝送する伝送システムにおいて、
前記ソース機器として、
前記制御用伝送路で制御データの入力及び出力を行う制御データ入出力部と、
前記映像用伝送路で映像データの出力を行う映像データ出力部と、
前記映像データ出力部で出力可能な映像データを保持する映像データ保持部と、
前記映像データ保持部が保持した映像データのコンテンツリストを保持するコンテンツリスト保持部と、
前記映像データ保持部が保持した映像データのインデックス用映像データを保持するインデックス用映像データ保持部と、
前記制御データ入出力部に入力した要求に応じて、前記コンテンツリスト保持部が保持したコンテンツリストを、前記制御データ入出力部から前記制御用伝送路に出力させ、前記インデックス用映像データ保持部が保持したインデックス用映像データを、前記映像データ出力部から、映像データのブランキング期間に前記映像用伝送路に出力させる制御部とを備え、
前記シンク機器として、
前記制御用伝送路で制御データの入力及び出力を行う制御データ入出力部と、
前記映像用伝送路で映像データの入力を行う映像データ入力部と、
前記映像データ入力部で入力した映像データを処理する映像処理部と、
前記制御データ入出力部からコンテンツリストの要求を出力させ、その要求に基づいて入力したコンテンツリストを前記映像処理部で表示処理させ、前記映像データ入力部に入力したインデックス用映像データを前記映像処理部で表示処理させ、各表示に基づいてコンテンツの選択がある場合に、その選択されたコンテンツの伝送要求を前記制御データ入出力部から出力させる制御部とを備えたことを特徴とする
伝送システム。
【請求項２】
映像コンテンツを出力するソース機器と、映像コンテンツを入力するシンク機器との間で、制御用伝送路と映像用伝送路で接続して、前記制御用伝送路及び映像用伝送路でデータを伝送する伝送方法において、
前記シンク機器から前記ソース機器への要求に応じて、前記ソース機器が出力可能な映像コンテンツのコンテンツリストを、前記制御用伝送路を介して前記シンク機器に伝送し、前記コンテンツリストの各コンテンツのインデックス用映像データを、映像データのブランキング期間に前記映像用伝送路を介して前記シンク機器に伝送し、
前記シンク機器で入力したコンテンツリスト及びインデックス映像を表示して、ソース機器から伝送させる映像コンテンツを選択できるようにしたことを特徴とする
伝送方法。
【請求項３】
制御用伝送路と映像用伝送路とで、映像コンテンツを入力するシンク機器と接続する映像出力装置において、
前記制御用伝送路で制御データの入力及び出力を行う制御データ入出力部と、
前記映像用伝送路で映像データの出力を行う映像データ出力部と、
前記映像データ出力部で出力可能な映像データを保持する映像データ保持部と、
前記映像データ保持部が保持した映像データのコンテンツリストを保持するコンテンツリスト保持部と、
前記映像データ保持部が保持した映像データのインデックス用映像データを保持するインデックス用映像データ保持部と、
前記制御データ入出力部に入力した要求に応じて、前記コンテンツリスト保持部が保持したコンテンツリストを、前記制御データ入出力部から前記制御用伝送路に出力させ、前記インデックス用映像データ保持部が保持したインデックス用映像データを、前記映像データ出力部から、映像データのブランキング期間に前記映像用伝送路に出力させる制御部とを備えたことを特徴とする
映像出力装置。
【請求項４】
請求項３記載の映像出力装置において、
前記制御部は、前記コンテンツリスト中の特定の映像コンテンツを指定する要求が、前記制御データ入出力部に入力した場合に、該当する映像コンテンツを前記映像データ保持部から出力させて、前記映像データ出力部から前記映像用伝送路に出力させる制御を行うことを特徴とする
映像出力装置。
【請求項５】
請求項３記載の映像出力装置において、
前記映像データ出力部から出力させるインデックス用映像データは、ブランキング期間に配置して伝送できるようにするために、データ量が制限された映像データであることを特徴とする
映像出力装置。
【請求項６】
請求項３記載の映像出力装置において、
前記制御データ入出力部からのコンテンツリストの出力と、前記映像データ出力部からのインデックス用映像データの出力は、同期して行われることを特徴とする
映像出力装置。
【請求項７】
請求項３記載の映像出力装置において、
コンテンツリストについても、制御用伝送路の代わりに、前記映像データ出力部から映像データのブランキング期間に配置して、映像用伝送路に出力させることを特徴とする
映像出力装置。
【請求項８】
制御用伝送路と映像用伝送路とで、映像コンテンツを出力するソース機器と接続する映像入力装置において、
前記制御用伝送路で制御データの入力及び出力を行う制御データ入出力部と、
前記映像用伝送路で映像データの入力を行う映像データ入力部と、
前記映像データ入力部で入力した映像データを処理する映像処理部と、
前記制御データ入出力部からコンテンツリストの要求を出力させ、その要求に基づいて入力したコンテンツリストを前記映像処理部で表示処理させ、前記映像データ入力部に入力したインデックス用映像データを前記映像処理部で表示処理させ、各表示に基づいてコンテンツの選択がある場合に、その選択されたコンテンツの伝送要求を前記制御データ入出力部から出力させる制御部とを備えたことを特徴とする
映像入力装置。
【請求項９】
請求項８記載の映像入力装置において、
前記映像データ入力部から入力されるインデックス用映像データは、映像データのブランキング期間から分離したデータであることを特徴とする
映像入力装置。
【請求項１０】
請求項８記載の映像入力装置において、
前記映像データ入力部から入力したインデックス用映像データは、前記制御データ入出力部から入力したコンテンツリストと同期して受信して、コンテンツリスト中の各データとインデックス用映像データとの対応を判断することを特徴とする
映像入力装置。
【請求項１１】
請求項８記載の映像入力装置において、
コンテンツリストについても、前記映像データ入力部から入力した映像データのブランキング期間から抽出することを特徴とする
映像入力装置。
【発明の詳細な説明】
【技術分野】
【０００１】
本発明は、ＨＤＭＩ（High-Definition Multimedia Interface）規格と称されるデジタル映像・音声入出力インターフェース規格で出力又は入力を行う機器で構成されるシステムに適用して好適な伝送システム及び伝送方法、並びに、そのシステムに適用される映像出力装置及び映像入力装置に関する。
【背景技術】
【０００２】
近年、複数台の映像機器の間で、非圧縮のデジタル映像データなどを伝送させるインターフェース規格として、ＨＤＭＩ規格と称されるものが開発されている。ＨＤＭＩ規格は、映像データを、各色の原色データとして、１画素単位で個別に伝送する規格である（以下画素をピクセルと称する）。音声データ（オーディオデータ）についても、映像データのブランキング期間に、映像データの伝送ラインを使用して伝送するようにしてある。伝送する原色データは、赤，緑，青の原色データ（Ｒデータ，Ｇデータ，Ｂデータ）である。原色データの代わりに、Y,Cb,Crといった輝度および色差信号を伝送する場合もある。
【０００３】
各色の１ピクセルのデータは、基本的に８ビット単位で伝送する構成としてある。水平同期信号や垂直同期信号などの同期信号についても、それぞれの同期信号が配置されるタイミングに送信される。また、映像データのピクセルクロックの伝送ラインと、制御データの伝送ラインについても設けてある。このように、非圧縮のデジタル映像データをピクセル単位でデータ伝送する伝送構成としてあることで、ハイデフィニション映像などを著作権保護しながら伝送することができる。
【０００４】
このＨＤＭＩ規格の伝送ライン（ＨＤＭＩケーブル）による複数の映像機器の接続としては、ディスク再生装置などの映像信号源となる機器と、表示装置（モニタ受像機、テレビジョン受像機など）とを接続するのが一般的である。映像データなどをＨＤＭＩ規格の伝送ラインに出力する機器は、ソース機器（出力装置）と称され、ＨＤＭＩ規格の伝送ラインを介して映像データなどを入力する機器は、シンク機器（入力装置）と称される。
【０００５】
特許文献１には、ＨＤＭＩ規格の詳細についての記載がある。
【特許文献１】ＷＯ２００２／０７８３３６号公報
【発明の開示】
【発明が解決しようとする課題】
【０００６】
ところで、テレビジョン受像機で、ハードディスクレコーダなどのソース機器からの映像コンテンツを受信する場合には、ソース機器で出力可能なコンテンツのリストであるコンテンツリストを取得して、そのコンテンツリストを表示させてユーザに選択させ、その選択されたコンテンツの伝送を要求する処理を行うのが一般的である。例えば、ハードディスクレコーダの場合には、録画された番組（映像コンテンツ）の一覧（コンテンツリスト）を表示させて、その表示されたリスト中から、リモートコントロール装置などを使用してユーザが選択操作するのが一般的である。ハードディスクレコーダなどの放送番組を録画可能な機器の場合には、録画機器自身がコンテンツリストを作成する機能を備えて、その作成されたリストの画像を、テレビジョン受像機側に送って表示させるようにしてある。
【０００７】
ところが、ビデオカメラレコーダなどの一部の映像機器では、そのような表示用のコンテンツリストを作成する機能を備えないものがある。そのような機器の場合には、上述したＨＤＭＩ規格の端子でテレビジョン受像機と接続しても、再生した映像データと音声データの伝送ができるだけであり、テレビジョン受像機の画面を使用して、再生リストを表示させたり、その再生リストに基づいた再生映像の選択などは不可能である。
【０００８】
本発明はかかる点に鑑みてなされたものであり、ＨＤＭＩ規格用ケーブルの如きデジタル映像データ伝送用のケーブルで映像機器間を接続した場合に、表示映像の選択などの高度な処理が行えるようにすることを目的とする。
【課題を解決するための手段】
【０００９】
本発明は、映像コンテンツを出力するソース機器と、映像コンテンツを入力するシンク機器との間で、制御用伝送路と映像用伝送路で接続して、制御用伝送路及び映像用伝送路でデータを伝送する場合に適用されるものである。シンク機器からは、ソース機器への要求に応じて、ソース機器が出力可能な映像コンテンツのコンテンツリストを、制御用伝送路を介してシンク機器に伝送する。このとき同時に、コンテンツリストの各コンテンツのインデックス用映像データを、映像データのブランキング期間に映像用伝送路を介してシンク機器に伝送する。このように伝送されたコンテンツリスト及びインデックス映像をシンク機器で表示して、ソース機器から伝送させる映像コンテンツを選択できるようにした。
【００１０】
このようにしたことで、映像データをソース機器からシンク機器に伝送するためのケーブルを使用して、ソース機器からシンク機器にコンテンツリストとインデックス映像が伝送されて、シンク機器側で入力可能な映像コンテンツのリストが、インデックス映像と共に表示されるようになる。制御用伝送路を使用して、コンテンツリスト中の映像コンテンツの選択に関する情報をソース機器に送ることで、その表示されたコンテンツリストに基づいた選択操作も可能になる。
【発明の効果】
【００１１】
本発明によると、映像データを伝送するためのケーブルでソース機器とシンク機器とを接続するだけで、ソース機器に用意されたコンテンツリストとインデックス映像とが伝送されて、映像コンテンツのリストがインデックス映像と共に表示され、表示されたリストとインデックス映像を使用した各種操作が可能になり、映像機器の操作性が向上する。
【発明を実施するための最良の形態】
【００１２】
以下、本発明の一実施の形態を、添付図面を参照して説明する。
【００１３】
本例においては、複数台の映像機器を、ＨＤＭＩ規格の伝送ラインで接続して、映像出力装置（ソース機器）と、映像入力装置（シンク機器）との間で、映像コンテンツなどの伝送を行うシステムとしたものである。映像出力装置としては、ビデオカメラレコーダを使用する。映像入力装置としては、映像表示装置であるテレビジョン受像機を使用する。
【００１４】
図１は、映像出力装置としてのビデオカメラレコーダの構成例を示した図である。ビデオカメラレコーダ１０は、Ｃ−ＭＯＳイメージャ（又はＣＣＤイメージャ）１１を備えて、ドライバ１２の駆動で、撮像を行う構成としてあり、撮像信号を撮像処理回路１３に供給して、撮像信号処理が行われる。イメージャ１１での撮像及び撮像処理回路１３での処理は、カメラ制御用ＣＰＵ１４の制御で実行される。
【００１５】
撮像処理回路１３で処理された撮像信号は、静止画像データ処理回路１５に供給して静止画像信号とする処理が行われ、また、動画像データ処理回路１６に供給して動画像データ（映像データ）とする処理が行われる。静止画像データ処理回路１５では、例えばＪＰＥＧ（Joint Photographic Experts Group）方式で符号化された静止画像データとする処理が行われる。静止画像データ処理回路１５で得た静止画像データは、メモリカード１７に記録（記憶）される。後述するインデックス用の静止画像データである、サムネイル画像についても、静止画像データ処理回路１５で生成させて、メモリカード１７に記録される。
【００１６】
動画像データ処理回路１６は、例えばＭＰＥＧ−２方式（Moving Picture Experts Group phase 2方式）で圧縮符号化を行い、圧縮符号化された映像データを得る。動画像データ処理回路１６で得た映像データは、記録再生回路１８に供給して、ビデオカメラレコーダ１０に装填された記録メディア１９に記録する。記録メディア１９としては、例えば光ディスク、ハードディスク、磁気テープ、半導体メモリなどが適用可能である。記録メディア１９に記録される映像データは、１単位の映像記録ごとに、タイトル，記録（撮影）日時，記録時間，記録モード，ユーザが入力したコメントなどの付加情報を記録できるようにしてある。これらの付加情報は、記録された映像コンテンツに関するリストであるコンテンツリストを作成する際に使用される。なお、以下の説明では、記録メディア１９に記録される動画像の映像データを、映像コンテンツと称する場合もある。１つの映像コンテンツと称した場合には、例えば１回の撮影開始から撮影終了までで記録された１単位の映像プログラム、同一日に記録された映像データごとにまとめて得た１単位の映像プログラム、或いは編集して１単位の映像プログラムにまとめたもの、等を示す。
【００１７】
また、本例のビデオカメラレコーダ１０は、マイクロフォン２４を備える。マイクロフォン２４が拾った音声信号は、音声処理回路２５に供給して、記録用の音声データとする。音声処理回路２５が出力する音声データは、動画像データ処理回路１６に供給して、記録メディア１９に記録させる映像データに音声データを付加させる。
【００１８】
静止画像データ処理回路１５や動画像データ処理回路１６での処理については、システム制御用ＣＰＵ２０の制御で実行される。システム制御用ＣＰＵ２０には、フラッシュＲＯＭ２１とＳＤＲＡＭ２２とが接続してある。フラッシュＲＯＭ２１には、システム制御用ＣＰＵ２０での制御に必要なプログラムなどが記憶させてあり、ＳＤＲＡＭ２２には、制御処理で必要なデータの一時記憶などが行われる。後述するコンテンツリストのデータについても、メモリ２１又は２２を使用して記憶させるようにしてある。サムネイル画像のデータについても、これらのメモリ２１又は２２に記憶させてもよい。
【００１９】
また、ビデオカメラレコーダ１０が備えるキー２３の操作をシステム制御用ＣＰＵ２０が判断して、ビデオカメラレコーダ１０の動作を対応した状態に制御するようにしてある。キー２３の操作としては、ビデオカメラとしての撮像（記録）や再生の操作の他に、各種付加情報の入力操作なども可能である。
【００２０】
動画像データ処理回路１６に得られる撮像された映像データ、又は記録再生回路１８で記録メディア１９から読み出した映像データは、ＬＣＤコントローラ２６に供給して、ＬＣＤ（Liquid Crystal Display：液晶表示）パネル２７で映像を表示させることが可能としてある。
【００２１】
システム制御用ＣＰＵ２０は、記録メディア１９に記録された映像データを、各映像コンテンツのデータであるコンテンツリストを作成して、フラッシュＲＯＭ２１又はＳＤＲＡＭ２２に記憶させるようにしてある。また、各映像コンテンツのコンテンツリストには、少なくとも１つの映像コンテンツに１つのインデックス用映像を生成させて、付加させるようにしてある。各インデックス用映像には、映像コンテンツとの対応を示すＩＤを付与してある。ここでは、インデックス用映像は、縮小して複数並べて表示させるためのサムネイル映像とするようにしてある。各映像コンテンツ中の映像からインデックス用映像（サムネイル映像）を選び出して生成させる処理は、従来から知られている各種処理が適用可能である。例えば、最も簡単な処理としては、各映像コンテンツの先頭部分の映像を使用する。作成したコンテンツリストやサムネイル映像は、システム制御用ＣＰＵ２０の制御で、ＬＣＤパネル２７に表示させることができる。
【００２２】
また、本例のビデオカメラレコーダ１０は、映像データの出力端子として、ＨＤＭＩ端子２９を備え、ＨＤＭＩ規格のケーブル１を接続可能としてある。ＨＤＭＩ端子２９を使用した伝送処理は、ＨＤＭＩ伝送処理回路２８で実行される。ＨＤＭＩ端子２９から出力させる映像データは、動画像データ処理回路１６からＨＤＭＩ伝送処理回路２８に供給されて、ＨＤＭＩ規格で規定されたフォーマットの映像データとして、ケーブル１に送出される。ＨＤＭＩ端子２９から出力させる映像データは、非圧縮の映像データであり、各画素のデータを画素クロックに同期して出力させるものである。従って、ＭＰＥＧ−２方式などで圧縮符号化された映像データを伝送する際には、動画像データ処理回路１６で圧縮された状態からの復号を行って、ＨＤＭＩ伝送処理回路２８に供給するようにしてある。
【００２３】
ＨＤＭＩ端子２９に接続されるケーブル１としては、映像データの伝送ライン（伝送路）の他に、制御データの伝送ライン（伝送路）についても用意してあり、制御データの伝送ラインについては、映像出力装置と映像入力装置との間で、双方向でデータ伝送が行える構成としてある。従って、ＨＤＭＩ伝送処理回路２８は、映像データを出力するための映像出力処理部としての機能の他に、制御データを入力及び出力するための制御データ入出力処理部としての機能を備える。ケーブル１で入力した制御データはシステム制御用ＣＰＵ２０に送られ、出力させる制御データはシステム制御用ＣＰＵ２０から供給される。
【００２４】
ＨＤＭＩ端子２９を介して出力させる制御データの１つとしては、上述したコンテンツリストのデータがある。ＨＤＭＩ端子２９から出力させる場合には、ＨＤＭＩ端子２９で接続された相手の機器からの要求に従って出力させる。コンテンツリストのデータを出力させる際には、サムネイル映像のデータについても出力させるようにしてある。これらのコンテンツリストやサムネイル映像のデータの伝送処理の詳細については後述する。
【００２５】
次に、ビデオカメラレコーダ１０とＨＤＭＩケーブル１を介して接続されるシンク機器としてのテレビジョン受像機３０の構成を、図２を参照して説明する。テレビジョン受像機３０は、地上波アンテナ３１が接続されるアナログ放送受信用のアンテナ入力端子３２ａと、デジタル放送受信用アンテナ３６が接続されるデジタル放送受信用アンテナ入力端子３７ａを有する。
【００２６】
地上アナログ放送用アンテナ入力端子３２ａから入力された放送波信号は、地上波用アナログチューナ３２で、映像および音声信号がベースバンドに復調される。受信して得た映像信号はビデオデコーダ３３で、デジタルコンポーネントデータに変換される。受信して得た音声信号は、音声用アナログ／デジタル変換器３４にてデジタル信号に変換される。
【００２７】
デジタル放送用アンテナ入力端子３７ａから入力された放送波信号は、デジタル復調用チューナ３７で、ＭＰＥＧ−ＴＳストリームに変換される。ＭＰＥＧ−ＴＳストリームはＭＰＥＧデコーダ３８に供給して、映像データはデジタルコンポーネントデータに、音声データはデジタル音声データとされる。
【００２８】
それぞれ変換された映像データは映像処理回路３５に供給して、種々の映像処理を行った後、グラフィック生成回路３９に供給する。グラフィック生成回路３９では、テレビジョン受像機３０の操作で必要なグラフィック画面を生成し、映像データに重畳又は映像データに差し替える。コンテンツリストなどのユーザインターフェイス画面についても、このグラフィック生成回路３９にて作成される。グラフィック生成回路３９が出力する映像データは、パネル駆動回路４０に供給する。パネル駆動回路４０は、供給される映像データに基づいて表示パネル４１での表示駆動を行い、表示パネル４１で映像を表示させる。
【００２９】
また、変換された音声データは、音声処理回路４２に供給し、各種音声処理を行った後、音声増幅回路４３に供給し、必要な音量に調整した後、スピーカ４４から出力させる。
【００３０】
このテレビジョン受像機３０での各種処理は、受像機全体の動作制御を行うＣＰＵ４７の制御で実行される。ＣＰＵ４７での制御に必要なソフトウェア（プログラム）は、フラッシュＲＯＭ４８に記憶させてあり、ＳＤＲＡＭ４９を使用してソフトウェアが実行される。これらのＣＰＵ４７とメモリ４８，４９は、内部バス５２により接続されている。外部から入力されたコンテンツリストなどのデータについても、ＣＰＵ４７の制御でＳＤＲＡＭ４９又はフラッシュＲＯＭ４８を使用して記憶させるようにしてある。記憶されたコンテンツリストなどのデータは、ＣＰＵ４７の制御で読み出して、グラフィック生成回路３９でユーザインターフェイス画面を生成させるようにしてある。
【００３１】
また、本例のテレビジョン受像機３０は、リモートコントロール信号の受光部（受信部）５０を備え、別体のリモートコントロール装置５１から送信されるリモートコントロール信号（赤外線信号）を受光（受信）して、そのリモートコントロール信号で指示された制御指令を、ＣＰＵ４７に送る構成としてある。
【００３２】
本例のテレビジョン受像機３０は、外部入力端子として、ＨＤＭＩ端子４５とネットワーク端子５４とを備える。ＨＤＭＩ端子４５は、ベースバンドの映像データなどを入力する端子であり、入力されたデジタルベースバンドデータは、ＨＤＭＩ伝送部４６で入力処理されて、映像データについては、映像処理回路３５に供給し、音声データについては音声処理回路４２に供給し、それぞれの回路３５，４２で処理を行った後、映像表示及び音声出力が行われる。
【００３３】
ネットワーク端子５４は、イーサネット（登録商標）などのネットワークに接続する端子であり、ネットワークインターフェイス５３に接続してある。ＣＰＵ４７の制御により、ネットワークインターフェイス５３が、ネットワーク端子５４を介して接続された外部機器とデータ転送処理を行う。
【００３４】
次に、図３を参照して、ビデオカメラレコーダ１０のＨＤＭＩ端子２９と、テレビジョン受像機３０のＨＤＭＩ端子４５との間で、ＨＤＭＩケーブル１で伝送される各チャンネルのデータ構成例について説明する。ＨＤＭＩ規格では、図３に示すように、映像データを伝送するチャンネルとして、チャンネル０と、チャンネル１と、チャンネル２の３つのチャンネルが用意してあり、さらにピクセルクロックを伝送するクロックチャンネルが用意してある。また、電源の伝送ラインと、制御データ伝送チャンネルとしての、ＤＤＣ及びＣＥＣが用意してある。ＤＤＣ（Display Data Channel）は、主として表示制御のためのデータチャンネルであり、ＣＥＣ（Consumer Electronics Control）は、主としてケーブルで接続された相手の機器を制御するためのデータチャンネルである。
【００３５】
送信側（ビデオカメラレコーダ１０）では、映像データを伝送するチャンネル毎に、データ合成部２８ａ，２８ｂ，２８ｃがＨＤＭＩ伝送部２８内に用意してあり、受信側（テレビジョン受像機３０）でも、映像データを伝送するチャンネル毎に、データ分離部４６ａ，４６ｂ，４６ｃがＨＤＭＩ伝送部４６内に用意してある。
【００３６】
各チャンネルの構成について説明すると、チャンネル０では、Ｂデータ（青色データ）のピクセルデータと、垂直同期データと水平同期データと補助データとを伝送するようにしてある。チャンネル１では、Ｇデータ（緑色データ）のピクセルデータと、２種類の制御データ（ＣＴＬ０，ＣＴＬ１）と、補助データとを伝送するようにしてある。チャンネル２では、Ｒデータ（赤色データ）のピクセルデータと、２種類の制御データ（ＣＴＬ２，ＣＴＬ３）と、補助データとを伝送するようにしてある。
【００３７】
制御データ伝送チャンネルとしての、ＣＥＣについては、映像データを伝送するチャンネル（チャンネル０，１，２）よりも低いクロック周波数でデータ伝送が、双方向に行われるチャンネルである。後述するコンテンツリストの要求と、その要求に応じたコンテンツリストのデータについては、このＣＥＣチャンネルが使用される。
【００３８】
図４は、本例の伝送構成で伝送される、１フレームのライン構成及びピクセル構成を示した図である。本例の場合に伝送される映像データ（主映像データ）は、非圧縮データであり、垂直ブランキング期間及び水平ブランキング期間が付加されている。具体的には、図４の例では、表示される映像エリア（アクティブビデオエリアとして示すエリア）として、４８０ライン×７２０ピクセルのピクセルデータとしてあり、ブランキング期間まで含めたライン数及びピクセル数として５２５ライン及び８５８ピクセルとしてある。ブランキング期間中のダブルハッチング（左右の斜線）で示すエリアは、データアイランドと称される、補助データを付加することが可能な期間である。本例においては、このデータアイランドの区間を利用して、インデックス用映像のデータであるサムネイル映像データを伝送するようにしてある。
【００３９】
次に、図３に示したＣＥＣチャンネルで伝送されるデータ構成について、図５〜図８を参照して説明する。図５は、ＣＥＣチャンネルで伝送されるデータのブロック構成を示した図である。ＣＥＣチャンネルでは、１ブロックが４．５ｍ秒で伝送される構成としてあり、データ伝送開始時には、スタートビットを配置し、それに続いて、ヘッダブロックを配置し、その後に、実際に伝送したいデータが含まれる任意の個数（図５ではｎ個：ｎは任意の整数）のデータブロックを配置する。
【００４０】
図６は、ヘッダブロックのデータ構造例を示した図である。ヘッダブロックには、ソース機器のアドレスと、シンク機器のアドレスとが配置される。それぞれのアドレスは、各機器の種類に応じて設定される。
図７は、各機器の種類に応じて設定されるアドレスの例である。図７に示すように、機器の種類毎に、“０”から“１５”までの１６種類のアドレスが設定してあり、その１６種類のアドレス値が、各機器の種類に応じて設定してあり、図６に示したソースアドレス又はシンクアドレスの４ビット値として配置される。例えば、図１，図２に示したビデオカメラレコーダ１０とテレビジョン受像機３０をＨＤＭＩケーブル１で接続した場合には、ソースアドレスが、ビデオカメラのアドレス値“１０”となり、シンクアドレスが、テレビジョン受像機（ＴＶ）のアドレス値“０”となる。
【００４１】
また、ＣＥＣチャンネルを使用して制御コマンドを伝送する際には、図８に示すコマンドが用意されている。図８では省略してあるが、それぞれのコマンドごとに値が決めてあり、その値を受信側が判断して、伝送されたコマンドの指示を判断する。ここでは、ビデオカメラレコーダの制御に関係した制御コマンドだけを示してある。
<give Contents List>は、コンテンツリストの伝送要求するコマンドである。このコマンドを受信した側では、次に説明する<set Content Number>のコマンドを、スポンスとして返送する。
<set Content Number>は、自らの機器が保持したコンテンツリストで示されたコンテンツ数を知らせるコマンドである。
<set Content Info>は、コンテンツリストのデータを伝送するコマンドである。
<Thumb Nail ID>は、サムネイル映像を伝送する際のＩＤ（識別番号）を知らせるコマンドである。
<Play Content>は、コンテンツの再生を指示するコマンドである。このコマンドを受信した場合には、機器の状態（再生状態に入るか否か）を示すレスポンスを返送する。
<Image View On>は、機器が再生状態になったことを知らせるコマンドである。
【００４２】
図９は、サムネイル映像のデータを伝送する際の、ヘッダのデータ構造例を示した図である。図９では、８ビットを単位として示してある。先頭の８ビットはパケットタイプのデータを配置してあり、サムネイル映像であることを示してある。次の８ビットでは、コンテンツ番号のデータを配置してあり、どのコンテンツのサムネイル映像であるかを示している。次の８ビットでは、サムネイル映像のデータ長を示してある。そして、このヘッダに続いて、サムネイル映像のデータが配置される。サムネイル映像のデータについては、何らかの圧縮処理を施した映像データ（静止画像データ）としてもよい。この図９に示したサムネイル映像のデータは、例えば、図４に示した映像データの垂直ブランキング期間及び水平ブランキング期間に用意されたデータアイランドの区間に、順に配置される。
【００４３】
次に、図１０を参照して、本例のビデオカメラレコーダ１０のＨＤＭＩ端子２９と、テレビジョン受像機３０のＨＤＭＩ端子４５との間で、ＨＤＭＩケーブル１でテータ伝送が行われる状態について説明する。この例では、シンク機器であるテレビジョン受像機３０に付属したリモートコントロール装置５１（図２）をユーザが操作して、ビデオカメラレコーダ１０内の記録メディア１９に記録された映像コンテンツについてのリスト（コンテンツリスト）を転送させて、テレビジョン受像機３０で表示させて、その表示に基づいてユーザが選択したコンテンツを、ビデオカメラレコーダ１０で再生させて、テレビジョン受像機３０で表示させる処理を行う例としてある。
【００４４】
まず、ユーザはリモートコントロール装置５１に配置されたキー操作で、テレビジョン受像機３０に対してメニュー画面を表示させる（ステップＳ１１）。このメニュー画面は、テレビジョン受像機３０のＣＰＵ４７の制御で、グラフィック生成部３９で生成させる。そのメニュー画面表示から、ＨＤＭＩ端子４５に接続された機器のコンテンツリスト取得を選択するユーザ操作があると、ＣＰＵ４７は、ＨＤＭＩ端子４５で接続された機器であるビデオカメラレコーダ１０に対して、ＨＤＭＩケーブル１を使用した伝送ラインの内のＣＥＣチャンネルを使用して、コマンドを送信する（ステップＳ１２）。このとき伝送されるコマンドは、コンテンツリストの伝送要求するコマンド<give Contents List>である。
【００４５】
このコマンドの受信をビデオカメラレコーダ１０のＣＰＵ２０が判断すると、ＣＰＵ２０は、ビデオカメラレコーダ１０内に用意されたコンテンツリストで示されるコンテンツ数を、返送する（ステップＳ１３）。このとき伝送されるコマンドは、コンテンツ数を知らせるコマンド<set Content Number>に、コンテンツ数のデータを付加したものである。コンテンツ数の送信に続いて、ＣＰＵ２０は、コンテンツリストのデータを伝送する<set Content Info>のコマンドを伝送し（ステップＳ１４）、そのコマンドに続いて、サムネイル映像のＩＤを知らせる<Thumb Nail ID>に、ＩＤを付加したデータを伝送する（ステップＳ１５）。この<set Content Info>のコマンドと<Thumb Nail ID>のコマンドを、ＣＥＣチャンネルを使用して、送信している間には、映像データの伝送チャンネル（チャンネル０，１，２：図３）を使用して、各ブランキング期間に用意されたデータアイランドの区間に、そのＩＤが付与されたサムネイル映像を配置して伝送するようにしてある。
【００４６】
即ち、例えば図１１（ａ）に示すように、ＣＥＣラインで、<set Content Info>のコマンドと<Thumb Nail ID>のコマンドが含まれる制御データｄ１を伝送している間に、そのＩＤが付与されたサムネイル映像データｄ２を、チャンネル０，１，２のデータアイランド区間に配置して伝送するようにしてある。なお、本例のビデオカメラレコーダ１０では、録画動作やコンテンツの再生動作などが行われていない状態であっても、ＨＤＭＩ端子２９にシンク機器が接続されている場合には、この端子２９から画面全体が白色などの映像データが出力され、その映像データのブランキング期間に、サムネイル映像データなどが付加されることになる。
【００４７】
図１０の説明に戻ると、<set Content Info>と<Thumb Nail ID>のコマンドと、データアイランド区間でのサムネイル映像データとを１つのデータ伝送単位として、コマンド<set Content Number>で知らせたコンテンツ数だけ、そのデータ伝送単位が繰り返され、各映像コンテンツのサムネイル映像などが伝送される。即ち、図１０の例では、ステップＳ１６，Ｓ１７として、最後の単位のコンテンツのデータが伝送される。
【００４８】
このコンテンツリストのデータと、リスト中の各映像コンテンツのサムネイル映像のデータが伝送されることで、ＣＰＵ４７は、受信したデータをメモリ４９などに記憶させ、その記憶データに基づいて、グラフィック生成部３９で対応したコンテンツリスト表示画面を生成させて、表示パネル４１に表示させる（ステップＳ１８）。この表示を確認したユーザは、リスト中のいずれかの映像コンテンツを選択する操作を行うことで（ステップＳ１９）、テレビジョン受像機３０のＣＰＵ４７がその操作指令を判断して、該当する指示されたコンテンツの再生を指示するコマンド<Play Content>に、コンテンツ番号を付加して伝送する（ステップＳ２０）。この再生指示を受信したビデオカメラレコーダ１０のＣＰＵ２０では、該当する映像コンテンツを、記録メディア１９から再生させる再生制御を行い、再生された映像コンテンツのデータを、ＨＤＭＩ端子２９から出力して、テレビジョン受像機３０に伝送する（ステップＳ２１）。この映像コンテンツのデータの伝送は、チャンネル０，１，２の映像データ用の伝送チャンネルが使用されて、非圧縮データが伝送される。
【００４９】
この再生映像データの伝送が開始されると、テレビジョン受像機３０では、ＨＤＭＩ端子４５を介して入力した映像の表示及び音声の出力処理が行われ、映像コンテンツの再生処理が行われる（ステップＳ２２）。
【００５０】
図１２は、テレビジョン受像機３０でのコンテンツリストの表示例を示したものである。この例では、１画面に４つのタイトルを表示させ、そのタイトルの脇に、サムネイル映像を表示させてある。表示タイトルは、例えば画面のスクロール操作で変化させることができるようにする。各タイトルの表示個所には、サムネイル映像の他に、録画日時と、コンテンツの長さ（録画時間）などの付加情報を表示させてある。ユーザは、このような表示の中から、タイトルやサムネイル映像を参照して、再生を行う映像コンテンツを選択し、その選択した映像の再生操作を行う。
【００５１】
このように本例によると、ビデオカメラレコーダ１０とテレビジョン受像機３０とを、映像データや音声データを伝送するための１組の伝送ライン（ＨＤＭＩケーブル）で接続するだけで、ビデオカメラレコーダ１０側に用意されたコンテンツリストをテレビジョン受像機３０に伝送させ、さらにそのコンテンツリストに付加されたサムネイル映像（インデックス映像）についても伝送させることができ、テレビジョン受像機３０側では受信したリストやサムネイル映像に基づいて、図１２に示した如きリスト表示が行える。従って、ユーザは、ビデオカメラレコーダ１０を操作することなく、ビデオカメラレコーダ１０内の記録メディア１９に記録された映像の内容などを知ることができ、簡単にビデオカメラレコーダ１０から必要とする映像コンテンツを再生させて、表示などを行うことができる。この場合、図１２に示した如きリスト表示用の映像は、テレビジョン受像機側で生成するので、ビデオカメラレコーダ１０側では、コンテンツリストなどを作成しておけば良く、ビデオカメラレコーダ１０側でコンテンツリスト表示映像を生成させる必要がなく、ビデオカメラレコーダ１０での負担が少ないと共に、操作そのものについても、テレビジョン受像機３０に付属したリモートコントロール装置５１で行え、ユーザにとって使い勝手がよい。
【００５２】
なお、上述した実施の形態で説明したコマンド構成などは一例を示したものであり、この例に限定されるものではない。また、上述した実施の形態では、サムネイル映像（インデックス映像）を、映像データの伝送ラインのブランキング期間に伝送するようにしたが、その他の期間に伝送するようにしてもよい。例えば、ＨＤＭＩ規格で用意されたＣＥＣライン又はＤＤＣラインを使用して伝送するようにしてもよい。
【００５３】
また、上述した実施の形態では、ソース機器とシンク機器とを接続する伝送路として、ＨＤＭＩ規格のインターフェースを前提として説明したが、その他の同様な伝送規格にも適用可能である。また、ソース機器としてビデオカメラレコーダを使用し、シンク機器としてテレビジョン受像機を使用した例としたが、その他の映像出力装置又は映像入力装置を使用してもよい。
【図面の簡単な説明】
【００５４】
【図１】本発明の一実施の形態によるソース機器の構成例を示すブロック図である。
【図２】本発明の一実施の形態によるシンク機器の構成例を示すブロック図である。
【図３】本発明の一実施の形態によるケーブルでの伝送チャンネル構成例を示す説明図である。
【図４】本発明の一実施の形態によるケーブルでの伝送時の映像データ構成例を示す説明図である。
【図５】本発明の一実施の形態によるＣＥＣチャンネルのデータ構成例を示す説明図である。
【図６】本発明の一実施の形態によるＣＥＣチャンネルのヘッダ構成例を示す説明図である。
【図７】本発明の一実施の形態による論理アドレスの構成例を示す説明図である。
【図８】本発明の一実施の形態によるコマンドデータ構成例を示す説明図である。
【図９】本発明の一実施の形態によるサムネイルデータのヘッダ構成例を示す説明図である。
【図１０】本発明の一実施の形態による伝送処理例を示すシーケンス図である。
【図１１】本発明の一実施の形態によるサムネイルデータの処理例を示すタイミング図である。
【図１２】本発明の一実施の形態によるタイトルリストの表示例を示す説明図である。
【符号の説明】
【００５５】
１…ＨＤＭＩケーブル、１０…ビデオカメラレコーダ、１１…イメージャ、１２…ドライバ、１３…撮像処理回路、１４…カメラ制御用ＣＰＵ、１５…静止画像データ処理回路、１６…動画像データ処理回路、１７…メモリカード、１８…記録再生回路、１９…記録メディア、２０…システム制御用ＣＰＵ、２１…フラッシュＲＯＭ、２２…ＳＤＲＡＭ、２３…キー、２４…マイクロフォン、２５…音声処理回路、２６…ＬＣＤコントローラ、２７…ＬＣＤパネル、２８…ＨＤＭＩ伝送処理回路、２９…ＨＤＭＩ端子、３０…テレビジョン受像機、３１…地上波用アンテナ、３２…地上波チューナ、３３…ビデオデコーダ、３４…音声用アナログ／デジタル変換器、３５…映像処理回路、３６…デジタル放送用アンテナ、３７…ＭＰＥＧデコーダ、３９…グラフィク生成回路、４０…パネル駆動回路、４１…表示パネル、４２…音声処理回路、４３…音声増幅回路、４４…スピーカ、４５…ＨＤＭＩ端子、４６…ＨＤＭＩ伝送処理回路、４７…ＣＰＵ、４８…フラッシュＲＯＭ、４９…ＳＤＲＡＭ、５０…赤外線信号受光部、５１…リモートコントロール装置
【図１】
2007311927.tif 000003
【図２】
2007311927.tif 000004
【図３】
2007311927.tif 000005
【図４】
2007311927.tif 000006
【図５】
2007311927.tif 000007
【図６】
2007311927.tif 000008
【図７】
2007311927.tif 000009
【図８】
2007311927.tif 000010
【図９】
2007311927.tif 000011
【図１０】
2007311927.tif 000012
【図１１】
2007311927.tif 000013
【図１２】
2007311927.tif 000014